(57)【特許請求の範囲】
【請求項１】
平板状の真空断熱材と、
断熱材から構成され、かつ前記真空断熱材の縁に沿って延在する枠体と
を備えた断熱パネルにおいて、
前記枠体は、前記真空断熱材の縁部における表面及び裏面を覆う態様で配設され、かつ前記真空断熱材を構成するフィルムのヒレ部分を延在させた状態で収納するものであり、
前記枠体を構成し、かつ前記真空断熱材の前端縁部の左面を被覆する左被覆部と、該前端縁部の右面を被覆する右被覆部とを有する前枠と、
前記左被覆部と前記右被覆部とが互いに離隔する方向に離れることを規制するよう前記前枠を挟み込むようにして該前枠に取り付けられる枠支持部材と
を備えたことを特徴とする断熱パネル。
【請求項２】
前記枠体は、前記ヒレ部分を進入させる溝部を備えたことを特徴とする請求項１に記載の断熱パネル。
【発明の詳細な説明】
【技術分野】
【０００１】
本発明は、断熱パネルに関し、より詳細には、平板状の真空断熱材（ＶＩＰ：Vacuum  Insulation  Panel）と、この真空断熱材の縁に沿って延在し、かつ断熱材から構成された枠体とを備えた断熱パネルに関するものである。
【背景技術】
【０００２】
従来、平板状の真空断熱材（ＶＩＰ）を備えた断熱パネルとして、次のようなものが知られている。例えば、平板状の真空断熱材の縁に沿って、それぞれ断熱材から構成された前枠、上枠、後枠及び下枠が配設されたものである。このような断熱パネルにおいては、真空断熱材を構成するフィルムのヒレ部分が折り曲げられて各枠が配設されている（例えば、特許文献１参照）。
【先行技術文献】
【特許文献】
【０００３】
【特許文献１】特開２００９−２１１４６２号公報
【発明の概要】
【発明が解決しようとする課題】
【０００４】
ところが、上述した特許文献１に提案されているような断熱パネルでは、真空断熱材を構成するフィルムのヒレ部分が折り曲げられているので、引張応力によりピンホールが発生してしまう虞れがある。かかるピンホールが発生してしまうと、ガスの侵入を許容してしまうことになり、断熱性能が低下してしまうことになる。
【０００５】
本発明は、上記実情に鑑みて、ピンホールの発生を抑制して断熱性能の低下を防止することができる断熱パネルを提供することを目的とする。
【課題を解決するための手段】
【０００６】
上記目的を達成するために、本発明の請求項１に係る断熱パネルは、平板状の真空断熱材と、断熱材から構成され、かつ前記真空断熱材の縁に沿って延在する枠体とを備えた断熱パネルにおいて、前記枠体は、前記真空断熱材の縁部における表面及び裏面を覆う態様で配設され、かつ前記真空断熱材を構成するフィルムのヒレ部分を延在させた状態で収納するものであり、前記枠体を構成し、かつ前記真空断熱材の前端縁部の左面を被覆する左被覆部と、該前端縁部の右面を被覆する右被覆部とを有する前枠と、前記左被覆部と前記右被覆部とが互いに離隔する方向に離れることを規制するよう前記前枠を挟み込むようにして該前枠に取り付けられる枠支持部材とを備えたことを特徴とする。
【０００７】
また、本発明の請求項２に係る断熱パネルは、上述した請求項１において、前記枠体は、前記ヒレ部分を進入させる溝部を備えたことを特徴とする。
【発明の効果】
【０００８】
本発明の断熱パネルによれば、真空断熱材の縁部における表面及び裏面を覆う態様で配設された枠体が、真空断熱材を構成するフィルムのヒレ部分を延在させた状態で収納するので、従来のようにフィルムのヒレ部分を折り曲げることによる引張応力が生ずることがなく、ピンホールが発生することがない。従って、ピンホールの発生を抑制して断熱性能の低下を防止することができるという効果を奏する。
【図面の簡単な説明】
【０００９】
【図１】図１は、本発明の実施の形態である断熱パネルが適用された自動販売機の内部構造を正面から見た場合を示す断面図である。
【図２】図２は、本発明の実施の形態である断熱パネルが適用された自動販売機の内部構造を示す断面側面図である。
【図３】図３は、図１に示した断熱仕切板を示す説明図である。
【図４】図４は、図３に示した真空断熱材を示すもので、（ａ）は側面図、（ｂ）は正面図、（ｃ）は平面図である。
【図５】図５は、図３に示した断熱仕切板の要部、すなわち前端縁部を拡大して示す拡大断面平面図である。
【図６】図６は、図５に示した前枠の取り付け手順を示した説明図である。
【図７】図７は、本発明の実施の形態である断熱パネルの変形例を示す拡大断面平面図である。
【図８】図８は、本発明の実施の形態である断熱パネルの変形例を示す説明図である。
【発明を実施するための形態】
【００１０】
以下に添付図面を参照して、本発明に係る断熱パネルの好適な実施の形態について詳細に説明する。
【００１１】
図１及び図２は、それぞれ本発明の実施の形態である断熱パネルが適用された自動販売機を示すものであり、図１は、自動販売機の内部構造を正面から見た場合を示す断面図であり、図２は、自動販売機の内部構造を示す断面側面図である。ここで例示する自動販売機は、本体キャビネット１を備えている。
【００１２】
本体キャビネット１は、前面が開口した直方状の形態を成す自動販売機本体である。この本体キャビネット１には、天部、底部、背部及び両側部に敷設されたパネル状の断熱部材２ａ〜２ｄに囲繞される態様で商品収容室３が画成されている。そして、かかる商品収容室３の内部に例えば２つの断熱仕切板４によって仕切られた３つの独立した商品収容庫５が左右に並んだ態様で設けてある。この商品収容庫５は、缶入り飲料やペットボトル入り飲料等の商品を所望の温度に維持した状態で収容するためのもので、断熱構造を有している。
【００１３】
図２に示すように、本体キャビネット１の前面には、外扉６及び内扉７が設けてある。外扉６は、本体キャビネット１の前面開口を開閉するためのものであり、内扉７は、商品収容庫５の前面を開閉するためのものである。この内扉７は、上下に分割してあり、上側の扉７ａは商品を補充する際に開閉するものである。
【００１４】
上記商品収容庫５には、商品収納ラック８、搬出機構９及び搬出シュータ１０が設けてある。商品収納ラック８は、商品を上下方向に沿って並ぶ態様で収納するためのものである。搬出機構９は、商品収納ラック８の下部に設けてあり、この商品収納ラック８に収納された商品群の最下位にある商品を１つずつ搬出するためのものである。搬出シュータ１０は、搬出機構９から搬出された商品を外扉６に設けられた商品取出口６ａに導くためのものである。
【００１５】
そして搬出シュータ１０の下方域には蒸発器２４及びヒータＨが配設してある。蒸発器２４は背面ダクトＤの前面側に配設してあり、機械室１１に配設された圧縮機２１、凝縮器２２及びキャピラリーチューブ２３と冷媒配管２５を通じて順次接続されて冷凍サイクル２０を形成している。圧縮機２１は、吸引口を通じて冷媒を吸引し、吸引した冷媒を圧縮して高温高圧の状態（高温高圧冷媒）にして吐出口より吐出するものである。凝縮器２２は、通過する冷媒を凝縮させるものである。より詳細に説明すると、圧縮機２１で圧縮され、かつ吐出口から吐出されて冷媒配管２５を通じて送出された冷媒を周囲空気と熱交換させて凝縮させるものである。キャピラリーチューブ２３は、通過する冷媒を減圧して断熱膨張させるものである。
【００１６】
これら冷凍サイクル２０で冷媒を循環させることにより、圧縮機２１で圧縮された冷媒が凝縮器２２で凝縮され、その後にキャピラリーチューブ２３で断熱膨張されて蒸発器２４を通過する。冷媒が蒸発器２４を通過する際に、該蒸発器２４が配設された商品収容庫５の内部空気との間で熱交換が行われて、自身が蒸発して内部空気を冷却する。蒸発した冷媒は圧縮機２１に吸引される。
【００１７】
冷却された内部空気は庫内送風ファンＦの駆動により商品収容庫５の内部を移動し、これにより該商品収容庫５の商品収納ラック８に収納された商品は所望の温度（例えば５℃）に冷却されることになる。
【００１８】
ヒータＨは、蒸発器２４の前面側に配設してある。このヒータＨは通電状態となることにより周囲空気を加熱するものである。
【００１９】
ヒータＨにより加熱された空気は、庫内送風ファンＦの駆動により商品収容庫５の内部を移動し、これにより該商品収容庫５の商品収納ラック８に収納された商品は所望の温度（例えば５５℃）に加熱されることになる。
【００２０】
図３は、図１に示した断熱仕切板４を示す説明図である。ここで例示する断熱仕切板４は、断熱パネル３０、ガスケット４０及びクッション材５０により構成してある。尚、本実施の形態においては、断熱パネル３０の適用例として断熱仕切板４について説明するが、本発明においては、かかる断熱仕切板４だけに限られず、商品収容室３を画成するパネル状の断熱部材２ａ〜２ｄについても断熱パネル３０により構成されていてもよい。この場合、断熱仕切板４とは長さ寸法や幅寸法等が異なるだけであり、基本的な構成は同じである。
【００２１】
断熱パネル３０は、真空断熱材（ＶＩＰ）３１と枠体３２とを備えて構成してある。真空断熱材３１は、図４に示すように、例えばガラス繊維等の熱伝導率が低い材料からなるコア（芯材）３１１を例えばポリアミド等のフィルム３１２にて被包して脱気密封した矩形状のものである。かかる真空断熱材３１においては、製造工程の特性上、コア３１１の長辺に沿って延びるフィルム３１２の長辺側ヒレ部分３１２ａと、コア３１１の短辺に沿って延びるフィルム３１２の短辺側ヒレ部分３１２ｂとが形成される。
【００２２】
枠体３２は、硬質な断熱性樹脂材から形成され、かつヒレ部分が形成された真空断熱材３１の縁部を覆う態様で構成されたもので、枠部材を備えている。ここで枠部材は、真空断熱材３１の前端縁部を覆う前枠３３と、上端縁部を覆う上枠３４と、下端縁部を覆う下枠３５と、後端縁部を覆う後枠３６とを有している。
【００２３】
図５は、図３に示した断熱仕切板４の要部、すなわち前端縁部を拡大して示す拡大断面平面図である。かかる図５を参照して、真空断熱材３１の前端縁部を覆う前枠（枠部材）３３について説明しながら枠体３２について説明する。
【００２４】
前枠３３は、上下方向に沿って延在する長尺状部材であり、真空断熱材３１の前端縁部の左側を被覆する左被覆部３３１と、真空断熱材３１の前端縁部の右側を被覆する右被覆部３３２とが連続して形成されてなるものである。この左被覆部３３１と右被覆部３３２との間には、フィルム３１２に覆われたコア３１１の前端縁部（以下、コア前端縁部ともいう）３１３の進入を許容するコア進入部３３３と、このコア進入部３３３に連続して形成され、かつ真空断熱材３１の長辺側ヒレ部分３１２ａの進入を許容する溝部３３４とが形成してある。
【００２５】
コア進入部３３３は、左被覆部３３１のコア進入形成部位３３１ａと、右被覆部３３２のコア進入形成部位３３２ａとが互いに左右に対向配置されることにより形成されるもので、その左右間距離は、真空断熱材３１の最大厚み、すなわちコア前端縁部３１３の厚みに略適合する大きさを有している。
【００２６】
溝部３３４は、左被覆部３３１の溝形成部位３３１ｂと、右被覆部３３２の溝形成部位３３２ｂとが互いに左右に対向配置されることにより形成されるもので、その左右間距離は、真空断熱材３１の長辺側ヒレ部分３１２ａの厚みよりも僅かに大きいものである。また、溝部３３４の前後長さは、長辺側ヒレ部分３１２ａを延ばした状態、すなわち延在した状態で進入させることができる大きさを有している。
【００２７】
このような前枠（枠部材）３３は、次のようにして真空断熱材３１の前端縁部を覆う態様で配設される。まず、図６の（ａ）及び（ｂ）に示すように、コア前端縁部３１３の左面に両面テープ等の接着材７１を貼付する。次に、図６の（ｃ）に示すように、この接着材７１を介して、前枠３３の左被覆部３３１におけるコア進入形成部位３３１ａをコア前端縁部３１３の左面に接着させる。このとき、前枠３３は、左被覆部３３１と右被覆部３３２とが互いに左右に対向しておらず、右被覆部３３２が左被覆部３３１よりも前方側に位置する姿勢となっている。
【００２８】
その後、図６の（ｄ）に示すように、コア前端縁部３１３の右面にも両面テープ等の接着材７２を貼付し、前枠３３の右被覆部３３２を左被覆部３３１との接続個所を中心に図中の矢印方向に揺動させ、図６の（ｅ）に示すように、右被覆部３３２のコア進入形成部位３３２ａをコア前端縁部３１３の右面に接着材７２を介して接着させる。
【００２９】
これにより、左被覆部３３１のコア進入形成部位３３１ａと、右被覆部３３２のコア進入形成部位３３２ａとが左右に対向配置されることによりコア進入部３３３を形成するとともに、左被覆部３３１の溝形成部位３３１ｂと、右被覆部３３２の溝形成部位３３２ｂとが左右に対向配置されることにより溝部３３４を形成する。そして、この溝部３３４には真空断熱材３１の長辺側ヒレ部分３１２ａが延在した状態で進入するとともに、コア進入部３３３にはコア前端縁部３１３が進入する。これにより、前枠３３は、真空断熱材３１の前縁部における左面（表面）及び右面（裏面）を覆う態様で配設され、かつ真空断熱材３１を構成するフィルム３１２の長辺側ヒレ部分３１２ａを延在させた状態で収納するものである。
【００３０】
このような前枠３３は、更に枠支持部材３７により左被覆部３３１と右被覆部３３２とが互いに離隔してしまうことが規制されている。枠支持部材３７は、前枠（枠部材）３３と同様に硬質な断熱性樹脂材から形成されたものである。この枠支持部材３７は、横断面がコ字状を成すとともに、上下方向が長手方向となる長尺状のものである。
【００３１】
枠支持部材３７は、前枠３３の前面を覆う基部３７１と、基部３７１の左側縁部から後方に向けて延在する左側後方延在部３７２と、基部３７１の右側縁部から後方に向けて延在する右側後方延在部３７３とを有している。基部３７１は、枠支持部材３７の前面を構成するものである。左側後方延在部３７２の延在端部には右側に向けて突出する突片３７２ａが形成されているとともに、右側後方延在部３７３の延在端部には左側に向けて突出する突片３７３ａが形成されている。
【００３２】
このような枠支持部材３７は、前枠３３の左被覆部３３１及び右被覆部３３２のそれぞれの外面に上下方向に沿って延在する係合溝３３１ｃ，３３２ｃに、突片３７２ａ，３７３ａがそれぞれ進入する態様で上方から下方へ、あるいは下方から上方へスライド移動されることにより前枠３３に取り付けられ、かかる前枠３３の左被覆部３３１と右被覆部３３２とが互いに離隔してしまうことを規制する。つまり、枠支持部材３７は、前枠３３の取り付けを補強するものである。
【００３３】
尚、ここでは、枠部材の一例として図５及び図６を用いて前枠３３について説明したが、その他の枠部材、すなわち上枠３４、下枠３５、後枠３６においても長手方向等は異なるが、前枠３３と同様の構成を有している。また、前枠３３では、枠支持部材３７を取り付けたが、その他の枠部材（上枠３４、下枠３５、後枠３６）では枠支持部材３７は、必ずしも必要なものではなく、なくても構わない。
【００３４】
ガスケット４０は、断熱パネル３０の前端部、すなわち枠支持部材３７の前面に貼付してある。このガスケット４０は、従来公知のものであり、軟質な樹脂材から構成されるものである。ガスケット４０は、閉動作する内扉７に当接されて弾性変形することにより断熱パネル３０と内扉７との密着性を向上させるものである。
【００３５】
クッション材５０は、断熱パネル３０の上端部及び後端部に貼付してある。このクッション材５０は、例えば発泡ポリエチレン等の樹脂材から構成されるものであり、自身が弾性変形することにより、断熱パネル３０と、商品収容室３を画成するパネル状の断熱部材２ａ〜２ｄ（天部及び背部に敷設された断熱部材２ａ，２ｃ）との密着性を向上させるものである。
【００３６】
以上のような構成を有する断熱仕切板４を構成する断熱パネル３０においては、枠体３２が真空断熱材３１の縁部における左面及び右面を覆う態様で配設され、かつ真空断熱材３１を構成するフィルム３１２のヒレ部分３１２ａを溝部３３４に進入させることにより延在させた状態で収納するので、従来のようにフィルムのヒレ部分を折り曲げることによる引張応力が生ずることがなく、ピンホールが発生することがない。従って、上記断熱パネル３０によれば、ピンホールの発生を抑制して断熱性能の低下を防止することができる。 
【００３７】
上記断熱パネル３０によれば、枠体３２が硬質な断熱性樹脂材より構成してあるので、強度を向上させることができるとともに、十分に高い断熱作用を発揮することができる。
【００３８】
また、上記断熱パネル３０によれば、枠体３２を構成する前枠３３の取り付けを枠支持部材３７で補強するので、これによっても強度を向上させることができる。
【００３９】
以上、本発明の好適な実施の形態について説明したが、本発明はこれに限定されるものではなく、種々の変更を行うことができる。
【００４０】
上述した実施の形態では、枠部材である前枠３３は、左被覆部３３１と右被覆部３３２とが連続して形成されてなるものであったが、本発明においては、図７に示すように、左被覆部３３１′と右被覆部３３２′とが分離して形成されてなるものであっても構わない。尚、図７においては、上述した実施の形態と同一の構成を有するものには同一の符号を付している。
【００４１】
次に、本発明の断熱パネル３０では、真空断熱材３１の下端縁部に枠部材（下枠３５）を設けなくてもよく、この場合には、真空断熱材３１の下端縁部を以下のようにして支持してもよい。
【００４２】
図８に示すように、断熱パネルが適用される断熱仕切板４の配設個所の床面のウレタン等の硬質フォーム８０には、真空断熱材３１の下端における短辺側ヒレ部分３１２ｂの進入を許容する溝部８１を形成しておく。そして、この硬質フォーム８０の上面に配設されたガイドレール８２に案内させて、下端の短辺側ヒレ部分３１２ｂが溝部８１に進入する態様で真空断熱材３１（断熱パネル）を立設させてもよい。これによっても、ヒレ部分を折り曲げることがないので、引張応力が生ずることがなく、ピンホールの発生を抑制して断熱性能の低下を防止することができる。
【産業上の利用可能性】
【００４３】
以上のように、本発明に係る断熱パネルは、例えば缶入り飲料やペットボトル入り飲料等の商品を販売する自動販売機に有用である。
【符号の説明】
【００４４】
１  本体キャビネット
２ａ〜２ｄ  断熱部材
３  商品収容室
４  断熱仕切板
５  商品収容庫
６  外扉
７  内扉
８  商品収納ラック
９  搬出機構
１０  搬出シュータ
１１  機械室
２０  冷凍サイクル
２１  圧縮機
２２  凝縮器
２３  キャピラリーチューブ
２４  蒸発器
２５  冷媒配管
３０  断熱パネル
３１  真空断熱材（ＶＩＰ）
３１１  コア
３１２  フィルム
３１２ａ  長辺側ヒレ部分
３１２ｂ  短辺側ヒレ部分
３２  枠体
３３  前枠
３３１  左被覆部
３３１ａ  コア進入形成部位
３３１ｂ  溝形成部位
３３２  右被覆部
３３２ａ  コア進入形成部位
３３２ｂ  溝形成部位
３３３  コア進入部
３３４  溝部
３４  上枠
３５  下枠
３６  後枠
３７  枠支持部材
３７１  基部
３７２  左側後方延在部
３７２ａ  突片
３７３  右側後方延在部
３７３ａ  突片
４０  ガスケット
５０  クッション材
７１，７２  接着材
Ｄ  背面ダクト
Ｆ  庫内送風ファン
Ｈ  ヒータ
【図１】
0005760341.tif 000002
【図２】
0005760341.tif 000003
【図３】
0005760341.tif 000004
【図４】
0005760341.tif 000005
【図５】
0005760341.tif 000006
【図６】
0005760341.tif 000007
【図７】
0005760341.tif 000008
【図８】
0005760341.tif 000009